【手続補正書】
【提出日】平成20年4月10日(2008.4.10)
【手続補正１】
【補正対象書類名】明細書
【補正対象項目名】特許請求の範囲
【補正方法】変更
【補正の内容】
【特許請求の範囲】
【請求項１】  第１の同時押出層、第２の同時押出層、および任意に第３の層を含んでいてもよい、熱成形多層フィルムまたはシートであって、
前記第１の同時押出層が、アイオノマーから本質的になる上面層であり、
前記第２の同時押出層が、１種以上のポリマーからなる群から選択され、
前記ポリマーがアイオノマー、超低密度ポリエチレン、またはエチレン共重合体を含み、
前記アイオノマーが、エチレンおよびＣ3〜Ｃ8のα，β−エチレン性不飽和カルボン酸から誘導される共重合体から本質的になり、前記共重合体が金属イオンで部分中和されたものであり、
前記第２の同時押出層が、前記第１の同時押出層と接触しており、
前記第１および第２の同時押出層のうちの少なくとも１つが添加剤を含み、
前記エチレン共重合体が、エチレンと、カルボキシル基のエステル、酸無水物、またはカルボン酸ビニルを含有する１種以上の極性コモノマーとの共重合から誘導されるポリマーを含み、
前記第１の同時押出層が、少なくとも８０のイメージ鮮明度、および、６０％を上回る角度２０°での光沢度を有し、
前記添加剤が、１種以上の紫外線（ＵＶ）安定剤、ＵＶ吸収剤、酸化防止剤、熱安定剤、帯電防止用添加剤、加工助剤、ガラスファイバ、ミネラルフィラー、滑り防止剤、可塑剤、成核剤、顔料、染料、フレークまたはこれらの混合物であり、
前記フィルムまたはシートが、少なくとも６０のイメージ鮮明度、および０．２ｍｍ（８ミル）から１．５２ｍｍ（６０ミル）の厚みを有する、熱成形多層フィルムまたはシート。
【請求項２】  前記第１の同時押出層が透明であり、前記同時押出された第２の重合体層が、顔料、染料、フレークまたはこれらの混合物を含有し、前記フィルムまたはシートが、０．０２５４ｍｍ（１ミル）から１．５２ｍｍ（６０ミル）、０．３０５ｍｍ（１２ミル）から１．０２ｍｍ（４０ミル）、または１．５２ｍｍ（６０ミル）から１０．２ｍｍ（４００ミル）の厚みを有する、請求項１に記載の熱成形多層フィルムまたはシート。
【請求項３】  前記第１の層は、アイオノマー−ポリアミドブレンドであり、前記ブレンドが、前記ブレンドに分散された１種以上のアイオノマーと連続相または共連続相を形成する１種以上のポリアミドから本質的になり、前記アイオノマーが、前記アイオノマーと前記ポリアミドとの総重量に対して、６０から４０重量パーセントの範囲で存在し、前記ポリアミドが４０から６０重量パーセントの範囲で存在し、
中和前の前記共重合体の平均の酸含有量が、溶融温度で存在する酸の５５から１００モルパーセントの範囲で１種以上の金属陽イオンによって中和すると前記アイオノマーの粘度が前記ポリアミドの粘度より高くなるような十分に高い割合で存在することを特徴とする、請求項１または２に記載の熱成形多層フィルムまたはシート。
【請求項４】  前記多層シートがさらに、ポリエチレンと、エチレン／α−オレフィン共重合体と、エチレンエラストマーとのブレンド、エチレンビニルアセテート、エチレン（メタ）アクリレート共重合体、エチレンブチルアクリレート共重合体、ポリエチレンテレフタレートおよびポリエチレンテレフタレートグリコール共重合体樹脂、無水マレイン酸修飾ポリプロピレン、無水グラフト含有共重合体、またはこれらの混合物を含む１種以上の同時押出された重合体結合層を有することを特徴とする、請求項１、２または３に記載の熱成形多層フィルムまたはシート。
【請求項５】  上面としてアイオノマーまたはアイオノマー−ポリアミドブレンドを有する多層フィルムまたはシートを製造するための方法であって、
ａ）アイオノマーの単層フィルムもしくはシートを押出しするか、または請求項１〜４のいずれか１項に記載の多層フィルムもしくはシートを同時押出しする工程と、
ｂ）任意に、前記単層シートまたは前記多層同時押出シートを熱成形してもよい工程と、
ｃ）工程（ａ）からの前記アイオノマー単層シートまたは多層同時押出シートを、深絞り型を有していてもよい金型に配置する工程と、
ｄ）前記単層シートまたは多層同時押出シートを、熱可塑性ポリオレフィン、ポリエステル、シート成形コンパウンド、アクリロニトリルブチルスチレン、ポリ塩化ビニル、ポリスチレン、ポリウレタン、低密度ポリエチレン、直鎖状低密度ポリエチレン、高密度ポリエチレン、またはこれらの混合物を含む裏込材で裏込注入する工程と、
ｅ）任意に、前記多層シートを軟化させるのに十分に前記シートの温度を上昇させて、軟化したシートを製造し、前記軟化したシートを前記金型内の基体の外形表面に合わせてもよい工程と、
ｆ）任意に、前記軟化したシートから造形品を製造してもよい工程
とを含むことを特徴とする方法。
【請求項６】  多層フィルムまたはシートが、請求項１から４のいずれか１項に記載された通りであり、基体が、金属、ポリマー、またはポリマー複合材料を含み、印刷された図柄または模様を有していてもよく、前記多層フィルムまたはシートの第１の同時押出層が透明であることを特徴とする、前記多層フィルムまたはシートが接着される前記基体から本質的になる熱成形され、着色された物品。
【手続補正２】
【補正対象書類名】明細書
【補正対象項目名】０１３６
【補正方法】変更
【補正の内容】
【０１３６】
以上、一定の度合いまで詳細に本発明について説明および例示してきたが、以下の請求の範囲は限定的なものではなく、請求項の各要素についての表現およびこれと等価なものに等しい範囲を包含できるものであることは理解できよう。
本発明は以下の実施の態様を含むものである。
１．  ａ．）アイオノマーから本質的になる第１の同時押出重合体層と、
ｂ．）アイオノマーと、アイオノマー−ポリエチレンブレンドと、アイオノマー−ポリアミドブレンドと、からなる群から選択され、前記第１の同時押出重合体層と接触する、少なくとも１つの同時押出された第２の重合体層と、を有することを特徴とする、多層フィルムまたはシート。
２．  前記第２の同時押出重合体層と接触する、少なくとも１つの別の同時押出された第３の重合体層をさらに含むことを特徴とする、前記１に記載の多層フィルムまたはシート。
３．  前記アイオノマーが、エチレンおよびＣ3〜Ｃ8のα，β−エチレン性不飽和カルボン酸から誘導される共重合体から本質的になり、前記共重合体が金属イオンで部分中和されたものであることを特徴とする、前記１または２に記載の多層フィルムまたはシート。
４．  前記アイオノマー−ポリアミドブレンドが、該ブレンドに分散された１つ以上のアイオノマーと連続相または共連続相を形成する1つ以上のポリアミドから本質的になり、前記アイオノマーと前記ポリアミドとの総重量に対して、前記アイオノマーが６０から４０重量パーセントの範囲で存在し、前記ポリアミドが４０から６０重量パーセントの範囲で存在し、前記アイオノマーが、エチレンおよびＣ3〜Ｃ8のα，β−エチレン性不飽和カルボン酸から誘導される共重合体から本質的になり、前記共重合体が金属イオンで部分中和されたものであり、中和前の前記共重合体の平均の酸含有量が、溶融温度で存在する酸の５５から１００モルパーセントの範囲で1つ以上の金属陽イオンによって中和すると前記アイオノマーの粘度が前記ポリアミドの粘度より高くなるような十分に高い割合で存在することを特徴とする、前記１または２に記載の多層フィルムまたはシート。
５．  前記同時押出重合体層のうち1つ以上が、顔料、染料、フレークまたはこれらの混合物を含有することを特徴とする、前記１または２に記載の多層フィルムまたはシート。
６．  前記第１の同時押出重合体層が透明であり、前記同時押出された第２の重合体層が、顔料、染料、フレークまたはこれらの混合物を含有することを特徴とする、前記１または２に記載の多層フィルムまたはシート。
７．  ａ．）アイオノマーから本質的になる第１の同時押出重合体層と、
ｂ．）前記第１の同時押出重合体層と接触する、超低密度ポリエチレンから本質的になる、少なくとも１つの同時押出された第２の重合体層と、を有することを特徴とする、多層フィルムまたはシート。
８．  前記第２の同時押出重合体層と接触する、少なくとも１つの別の同時押出された第３の重合体層をさらに含むことを特徴とする、前記７に記載の多層フィルムまたはシート。
９．  前記アイオノマーが、エチレンおよびＣ3〜Ｃ8のα，β−エチレン性不飽和カルボン酸から誘導される共重合体から本質的になり、前記共重合体が金属イオンで部分中和されたものであることを特徴とする、前記７または８に記載の多層フィルムまたはシート。
１０．  前記同時押出重合体層のうち1つ以上が、顔料、染料、フレークまたはこれらの混合物を含有することを特徴とする、前記７または８に記載の多層フィルムまたはシート。
１１．  前記第１の同時押出重合体層が透明であり、前記同時押出された第２の重合体層が、顔料、染料、フレークまたはこれらの混合物を含有することを特徴とする、前記７または８に記載の多層フィルムまたはシート。
１２．  ａ．）アイオノマーから本質的になる第１の同時押出重合体層と、
ｂ．）前記第１の同時押出重合体層と接触する、極性エチレン共重合体から本質的になる、少なくとも１つの同時押出された第２の重合体シート層と、を有することを特徴とする、多層フィルムまたはシート。
１３．  前記第２の同時押出重合体層と接触する、少なくとも１つの別の同時押出された第３の重合体層をさらに含むことを特徴とする、前記１２に記載の多層フィルムまたはシート。
１４．  前記アイオノマーが、エチレンおよびＣ3〜Ｃ8のα，β−エチレン性不飽和カルボン酸から誘導される共重合体から本質的になり、前記共重合体が金属イオンで部分中和されたものであることを特徴とする、前記１２または１３に記載の多層フィルムまたはシート。
１５．  前記同時押出重合体層のうち1つ以上が、顔料、染料、フレークまたはこれらの混合物を含有することを特徴とする、前記１２または１３に記載の多層フィルムまたはシート。
１６．  前記第１の同時押出重合体層が透明であり、前記同時押出された第２の重合体層が、顔料、染料、フレークまたはこれらの混合物を含有することを特徴とする、前記１２または１３に記載の多層フィルムまたはシート。
１７．  ａ．）アイオノマー−ポリアミドブレンドから本質的になる第１の同時押出し重合体層と、
ｂ．）前記第１の同時押出重合体層と接触する、少なくとも１つの別の同時押出された第２の重合体層と、を有することを特徴とする、多層フィルムまたはシート。
１８．  前記アイオノマー−ポリアミドブレンドが、該ブレンドに分散された１つ以上のアイオノマーと連続相または共連続相を形成する1つ以上のポリアミドから本質的になり、前記アイオノマーと前記ポリアミドとの総重量に対して、前記アイオノマーが６０から４０重量パーセントの範囲で存在し、前記ポリアミドが４０から６０重量パーセントの範囲で存在し、前記アイオノマーが、エチレンおよびＣ3〜Ｃ8のα，β−エチレン性不飽和カルボン酸から誘導される共重合体から本質的になり、前記共重合体が金属イオンで部分中和されたものであり、中和前の前記共重合体の平均の酸含有量が、溶融温度で存在する酸の５５から１００モルパーセントの範囲で1つ以上の金属陽イオンによって中和すると前記アイオノマーの粘度が前記ポリアミドの粘度より高くなるような十分に高い割合で存在することを特徴とする、前記１７に記載の多層フィルムまたはシート。
１９．  前記同時押出重合体層のうち１つ以上が、顔料、染料、フレークまたはこれらの混合物を含有することを特徴とする、前記１７または１８に記載の多層フィルムまたはシート。
２０．  前記第１の同時押出重合体層が、顔料、染料、フレークまたはこれらの混合物を含有することを特徴とする、前記１７または１８に記載の多層フィルムまたはシート。
２１．  前記第２の同時押出重合体層が、アイオノマーと、アイオノマー−ポリエチレンブレンドと、アイオノマー−ポリアミドブレンドと、超低密度ポリエチレンと、極性エチレン共重合体と、これらのブレンドと、からなる群から選択されることを特徴とする、前記１７または１８に記載の多層フィルムまたはシート。
２２．  上面にアイオノマーまたはアイオノマー−ポリアミドブレンドを有する造形品を製造するための方法であって、
ｃ．）アイオノマーまたはアイオノマー−ポリアミドブレンドの単層シートまたは多層同時押出シートを金型に配置する工程、
ここで、前記単層シートまたは前記多層シートの厚さが８から６０ミルであり、前記多層シートは、
ｉ．）アイオノマーとアイオノマー−ポリアミドブレンドとからなる群から選択される第１の同時押出重合体層と、
ｉｉ．）前記第１の同時押出重合体層と接触する、少なくとも１つの別の同時押出された第２の重合体層と、を有する、
ｄ．）前記単層シートまたは多層同時押出シートを好適な裏込材で裏込注入する工程、を含むことを特徴とする、製造方法。
２３．  前記多層シートが、
（ｖｉｉ）アイオノマーから本質的になる第１の同時押出重合体層と、
（ｖｉｉｉ）アイオノマーとアイオノマー−ポリアミドブレンドとからなる群から選択され、前記第１の同時押出重合体層と接触する、第２の同時押出重合体層と、
（ｉｘ）前記第２の同時押出重合体層と接触する、少なくとも１つの別の同時押出された第３の重合体層と、を有することを特徴とする、前記２２に記載の方法。
２４．  前記アイオノマーが、エチレンおよびＣ3〜Ｃ8のα，β−エチレン性不飽和カルボン酸から誘導される共重合体から本質的になり、前記共重合体が金属イオンで部分中和されたものであることを特徴とする、前記２２または２３に記載の方法。
２５．  前記アイオノマー−ポリアミドブレンドが、該ブレンドに分散された１つ以上のアイオノマーと連続相または共連続相を形成する1つ以上のポリアミドから本質的になり、前記アイオノマーと前記ポリアミドとの総重量に対して、前記アイオノマーが６０から４０重量パーセントの範囲で存在し、前記ポリアミドが４０から６０重量パーセントの範囲で存在し、前記アイオノマーが、エチレンおよびＣ3〜Ｃ8のα，β−エチレン性不飽和カルボン酸から誘導される共重合体から本質的になり、前記共重合体が金属イオンで部分中和されたものであり、中和前の前記共重合体の平均の酸含有量が、溶融温度で存在する酸の５５から１００モルパーセントの範囲で1つ以上の金属陽イオンによって中和すると前記アイオノマーの粘度が前記ポリアミドの粘度より高くなるような十分に高い割合で存在することを特徴とする、前記２２または２３に記載の方法。
２６．  前記第１の同時押出重合体層が透明であり、前記同時押出された第２の重合体層が、顔料、染料、フレークまたはこれらの混合物を含有することを特徴とする、前記２３に記載の方法。
２７．  前記シートを前記金型に配置して埋込注入する前に前記多層同時押出シートを熱成形する工程をさらに含むことを特徴とする、前記２２、２３または２６に記載の方法。
２８．  前記造形品の上面は、イメージ鮮明度（ＤＯＩ）が少なくとも８０であり、角度２０°での光沢度が６０％を上回るものであることを特徴とする、前記２７に記載の方法。
２９．  前記好適な裏込材が、熱可塑性ポリオレフィンと、ポリエステルと、シート成形コンパウンド（ＳＭＣ）と、アクリロニトリルブチルスチレンと、ポリ塩化ビニルと、ポリスチレンと、ポリウレタンと、低密度ポリエチレンと、直鎖状低密度ポリエチレンと、高密度ポリエチレンと、これらの混合物と、からなる群から選択されることを特徴とする、前記２２、２３または２６に記載の方法。
３０．  前記多層シートがさらに、ポリエチレン、エチレン／α−オレフィン共重合体およびエチレンエラストマーのブレンドと、エチレンビニルアセテートと、エチレン（メタ）アクリレート共重合体と、エチレンブチルアクリレート共重合体と、ポリエチレンテレフタレートおよびポリエチレンテレフタレートグリコール共重合体樹脂と、無水マレイン酸修飾ポリプロピレンと、無水グラフト含有共重合体と、これらの混合物と、からなる群から選択される同時押出された重合体結合層を1つ以上有することを特徴とする、前記２２、２３または２６に記載の方法。
３１．  前記多層シートが、アイオノマー単層（透明または着色）と、
アイオノマー−ポリアミドブレンド単層（着色）と、
アイオノマー（透明）／ポリエチレン−アイオノマーブレンド（着色）と、
アイオノマー（透明）／ポリエチレン−エラストマーブレンド（着色）と、
アイオノマー（透明）／アイオノマー（着色）／エチレン共重合体と、
アイオノマー（透明）／アイオノマー（着色）／超低密度ポリエチレンと、
アイオノマー（透明）／エチレン酸共重合体（着色）／超低密度ポリエチレン（着色）と、
アイオノマー（透明）／エチレン酸共重合体（着色）／超低密度ポリエチレン／オレフィン系熱可塑性樹脂と、
アイオノマー（着色）／アイオノマー（着色）／エチレン酸共重合体と、
アイオノマー（着色）／エチレン酸共重合体と、
アイオノマー（着色）／三元共重合体エチレン−酸−アクリレート（着色）／オレフィン系熱可塑性樹脂と、
アイオノマー（着色）／三元共重合体エチレン−アクリレート−グリシダルメタクリレート（着色）／オレフィン系熱可塑性樹脂と、
アイオノマー（透明）／三元共重合体エチレン−酸−アクリレート（着色）／オレフィン系熱可塑性樹脂と、
アイオノマー（透明）／三元共重合体エチレン−アクリレート−グリシダルメタクリレート（着色）／オレフィン系熱可塑性樹脂と、
アイオノマー（透明）／アイオノマー（着色）／三元共重合体エチレン−アクリレート−グリシダルメタクリレート／オレフィン系熱可塑性樹脂と、
アイオノマー（透明）／エチレン−アクリレート共重合体（着色）／エチレン共重合体と、
アイオノマー（透明）／アイオノマー（着色）／エチレン共重合体／ポリエチレンと、
アイオノマー（透明）／アイオノマー（着色）／エチレン共重合体／ポリエステル共重合体と、
アイオノマー（透明）／アイオノマー（着色）／ポリアミド（着色）と、
アイオノマー（透明）／アイオノマー（着色）／結合層（着色）／熱可塑性ポリオレフィンと、
アイオノマー（透明）／アイオノマー（着色）／結合層／熱可塑性ポリオレフィン（着色）と、
アイオノマー（透明）／アイオノマー（着色）／ポリエチレン−アイオノマーブレンドと、
アイオノマー（透明）／アイオノマー（着色）／結合／ニトリル共重合体と、
アイオノマー−ポリアミドブレンド／結合／熱可塑性ポリオレフィンと、
アイオノマー−ポリアミドブレンド／結合／ポリエステル共重合体と、
アイオノマー−ポリアミドブレンド／結合／ニトリル共重合体と、
アイオノマー−ポリアミドブレンド／ポリアミド共重合体と、
アイオノマー（透明）／アイオノマー（着色）／結合層／熱可塑性ポリオレフィンと、
アイオノマー／アイオノマー（着色）／結合層／ポリエステル共重合体と、
アイオノマー／アイオノマー（着色）／結合層／ポリエステル共重合体と、
アイオノマー／ポリアミド（着色）／結合層／ポリエステルと、
アイオノマー／ポリアミド（着色）／結合層／再利用材／ポリエステル共重合体と、
アイオノマー／アイオノマー（着色）／結合層／再利用材／結合層／ポリエステル共重合体と、からなる群から選択される同時押出重合体層を有するものであることを特徴とする、前記２２に記載の方法。
３２．  前記多層シートがさらに、再利用ポリマーを含有する別の同時押出重合体層を１つ以上有することを特徴とする、前記２２、２３または２６に記載の方法。
３３．  熱成形多層シート表面をもつ物品を製造する方法であって、
ｃ．）ｉ．）アイオノマーとアイオノマー−ポリアミドブレンドとからなる群から選択される第１の同時押出重合体層と、
ｉｉ．）前記第１の同時押出重合体層と接触する、少なくとも１つの別の同時押出された第２の重合体層と、
を有し、厚さが８から６０ミルである、多層シートを金型に配置する工程と、
ｂ．）  前記多層シートを軟化させるのに十分に前記シートの温度を上昇させる工程と、
ｃ．）  前記軟化したシートを前記金型内の基体の外形表面に合わせる工程と、を含むことを特徴とする、製造方法。
３４．  前記多層シートが、
（ｘ）アイオノマーから本質的になる第１の同時押出重合体層と、
（ｘｉ）アイオノマーとアイオノマー−ポリアミドブレンドとからなる群から選択され、前記第１の同時押出重合体層と接触する、第２の同時押出重合体層と、
（ｘｉｉ）前記第２の同時押出重合体層と接触する、少なくとも１つの別の同時押出された第３の重合体層と、を有することを特徴とする、前記３３に記載の方法。
３５．  前記多層シートを前記金型に配置する前に予備加熱して前記シートを軟化させることを特徴とする、前記３３または３４に記載の方法。
３６．  前記金型が深絞り型を有するものであることを特徴とする、前記３５に記載の方法。
３７．  前記（ｃ）の表面に合わせる工程が、物品を形成するのに十分な前記金型内圧力で行われ、前記物品の表面層が前記金型の表面仕上げを正確に複製していることを特徴とする、前記３３または３４に記載の方法。
３８．  前記物品の表面特性を光沢度の高いものとするために前記金型に高ポリッシュ仕上げを施すことを特徴とする、前記３７に記載の方法。
３９．  前記物品の表面に模様を付けるために前記金型を型押しすることを特徴とする、前記３７に記載の方法。
４０．  前記（ｃ）の表面に合わせる工程が、物品を形成するのに十分な前記金型内圧力で行われ、前記物品の表面層が前記金型の表面仕上げを正確に複製していることを特徴とする、前記３５に記載の方法。
４１．  前記物品の表面特性を光沢度の高いものとするために前記金型に高ポリッシュ仕上げを施すことを特徴とする、前記４０に記載の方法。
４２．  前記物品の表面に模様を付けるために前記金型を型押しすることを特徴とする、前記４０に記載の方法。
４３．  多層フィルムまたはシートが接着される基体から本質的になる物品であって、前記多層フィルムまたはシートが、
ａ．）アイオノマーから本質的になる第１の同時押出重合体層と、
ｂ．）アイオノマーと、アイオノマー−ポリエチレンブレンドと、アイオノマー−ポリアミドブレンドと、からなる群から選択され、前記第１の同時押出重合体層と接触する、少なくとも１つの同時押出された第２の重合体層と、を有する、物品。
４４．  前記多層フィルムまたはシートが、前記第２の同時押出重合体層と接触する、少なくとも１つの別の同時押出された第３の重合体層をさらに含むことを特徴とする、前記４３に記載の物品。
４５．  多層フィルムまたはシートが接着される基体から本質的になる物品であって、前記多層フィルムまたはシートが、
ａ．）アイオノマーから本質的になる第１の同時押出重合体層と、
ｂ．）前記第１の同時押出重合体層と接触する、超低密度ポリエチレンから本質的になる少なくとも１つの同時押出された第２の重合体層と、を有することを特徴とする、物品。
４６．  前記多層フィルムまたはシートが、前記第２の同時押出重合体層と接触する、少なくとも１つの別の同時押出された第３の重合体層をさらに含むことを特徴とする、前記４５に記載の物品。
４７．  多層フィルムまたはシートが接着される基体から本質的になる物品であって、前記多層フィルムまたはシートが、
ａ．）アイオノマーから本質的になる第１の同時押出重合体層と、
ｂ．）前記第１の同時押出重合体層と接触する、極性エチレン共重合体から本質的になる少なくとも１つの同時押出された第２の重合体シート層と、を有する、物品。
４８．  前記多層フィルムまたはシートが、前記第２の同時押出重合体層と接触する、少なくとも１つの別の同時押出された第３の重合体層をさらに含むことを特徴とする、前記４７に記載の物品。
４９．  多層フィルムまたはシートが接着される基体から本質的になる物品であって、前記多層フィルムまたはシートが、
ａ．）アイオノマー−ポリアミドブレンドから本質的になる第１の同時押出重合体層と、
ｂ．）前記第１の同時押出重合体層と接触する、少なくとも１つの別の同時押出された第２の重合体層と、を有することを特徴とする、物品。
５０．  前記多層フィルムまたはシートが、前記第２の同時押出重合体層と接触する、少なくとも１つの別の同時押出された第３の重合体層をさらに含むことを特徴とする、前記４９に記載の物品。
５１．  基体が、金属と、ポリマーと、ポリマー複合材料と、からなる群から選択されることを特徴とする、前記４３〜５０のいずれかに記載の物品。
５２．  基体に図柄または模様が印刷され、前記多層フィルムまたはシートが透明であることを特徴とする、前記４３〜５０のいずれかに記載の物品。
５３．  １つ以上の前記同時押出重合体層が、顔料、染料、フレークまたはこれらの混合物を含有することを特徴とする、前記４３〜５０のいずれかに記載の物品。